(57)【要約】【課題】再生中に障害が発生した時に再生障害の発生原因を解析するために必要な情報を収集する。【解決手段】ディスク状記憶媒体に記憶された音楽情報を光ピックアップを使用して読み出す再生装置において、ディスク状記憶媒体の再生中に再生障害が発生したことをトリガーとして、再生障害の内容と、再生障害が発生した時における再生障害の解析のための情報を関連付けて不揮発性のメモリに記憶する。そして、ユーザから再生装置を回収した時に、それらの情報を読み出し原因の解明に役立てる。また、その障害発生時の上記情報を基に回収した再生装置で障害の再現実験を行う資料とする。【選択図】図１
2004014015.tif 000002
【特許請求の範囲】
【請求項１】
車両に搭載され、ディスク状記憶媒体に記憶された情報を光ピックアップを使用して読み出す再生装置において、
前記ディスク状記憶媒体の再生中に再生障害が発生したことを検出する再生障害検出手段と、
前記再生障害検出手段が再生障害が発生したことを検出した時に、前記再生障害の内容を示す障害情報と、前記再生障害が発生した時における再生障害の解析のための解析用情報を関連付けて記憶する障害情報記憶手段を備えたことを特徴とする再生装置。
【請求項２】
前記解析用情報は、
前記再生障害が発生した時に、前記再生装置から出力される光ピックアップのフォーカスエラー情報であることを特徴とする請求項１記載の再生装置。
【請求項３】
前記解析用情報は、
前記再生障害が発生した時に、前記再生装置から出力される機構的なエラー情報であることを特徴とする請求項１または請求項２記載の再生装置。
【請求項４】
前記解析用情報は、
前記再生障害が発生した時に、前記再生装置から出力される高温時にレーザダイオードの出力を中断する高温ストップ情報であることを特徴とする請求項１〜請求項３記載の再生装置。
【請求項５】
前記解析用情報は、
前記再生装置に懸かる振動、温度、供給電源電圧等の情報等であることを特徴とする請求項１〜請求項４記載の再生装置。
【請求項６】
前記解析用情報は、
前記車両の走行位置情報等であることを特徴とする請求項１〜請求項５記載の再生装置。
【請求項７】
前記解析用情報は、
前記車両の走行状態情報であることを特徴とする請求項１〜請求項５記載の再生装置。
【請求項８】
前記障害情報記憶手段に記憶された解析用情報を外部機器に出力する情報出力手段を備えたことを特徴とする請求項１記載の再生装置。
【発明の詳細な説明】
【０００１】
【発明の属する技術分野】
本発明は、ディスク状記憶媒体に記憶された音楽情報等を再生する再生装置に係り、特に、再生中に音飛び等の障害が発生した場合に、その原因を究明するために必要な情報が収集、記憶できる再生装置に関する。
【０００２】
【従来の技術】
車両に搭載されるＣＤ（コンパクトディスク）デッキ（信号の読み出し部）やＭＤ（ミニディスク）デッキを備えた再生装置は、再生中にフォーカスエラー信号やトラッキングエラー信号を検出して正常にフォーカスやトラッキングが行えるように光ピックアップにフィードバック制御を行っている。ＣＤディスク等では、音楽情報はトラック番号、分、秒等のタイムスタンプ（アドレス）と対応してディスクに記憶されており、光ピックアップで読み出し中に再生障害が生ずるとタイムスタンプが不連続になったり、出力信号が中断したりする、所謂、音飛びと言われる再生障害が発生することがある。このような再生障害が発生した時には、その原因を解明し対策を講じるために、ユーザから障害発生時の状況の聞き取り調査を行うとともに、再生装置を回収して同様の障害が再現するか否かを確認するようにしている。
【０００３】
【発明が解決しようとする課題】
しかし、ユーザから障害発生時の状況を聞き取り調査しても、再生障害が発生し出力が中断した後に、光ピックアップが正常な位置に復帰しフィードバック制御が行えるようになれば自動的に再生が継続される。そのために、ユーザが障害発生時の状況を的確に把握していない場合が多い。
【０００４】
また、再生装置を回収して障害が発生するか否かを確認する実験を行っても、再現しない場合が多々ある。適切な障害対策を行うには、先ず回収した再生装置でユーザで生じたのと同じ障害を再現させることが不可欠である。障害が再現しないのは、ユーザと同一の動作条件が再現されていない場合が多い。例えば、再生装置ではフォーカスエラー信号やトラッキングエラー信号に基づいて正常に信号が読み出せるように光ピックアップにフィードバック制御を行っている。しかし、車両が舗装された平坦な道路を走行している場合には障害が発生しないが、山道等の悪路を高速で走行した場合には再生装置に一時的に急激な振動が懸かり、フィードバック範囲を超えて再生が中断することになる。また、最近ユーザが他の音源から音楽情報をコピーしたＣＤ−ＲディスクをＣＤデッキで再生することも多く、このようなディスクでは、再生に必要な所定の規格を必ずしも満足しているとは限らない。そこで、ユーザで障害が発生したときの再生装置の再生状態、動作環境を正確に把握する必要がある。
【０００５】
本発明は、再生中に障害が発生した時に再生障害の発生原因を解析するために必要な情報が収集できる再生装置を提供することを目的とする。
【０００６】
【課題を解決するための手段】
上記目的を達成するために本発明は、車両に搭載され、ディスク状記憶媒体に記憶された情報を光ピックアップを使用して読み出す再生装置において、前記ディスク状記憶媒体の再生中に再生障害が発生したことを検出する再生障害検出手段と、前記再生障害検出手段が再生障害が発生したことを検出した時に、前記再生障害の内容を示す障害情報と、前記再生障害が発生した時における再生障害の解析のための解析用情報を関連付けて記憶する障害情報記憶手段を備えたことを特徴とするものである。
【０００７】
また、前記解析用情報は、前記再生障害が発生した時に、前記再生装置から出力される光ピックアップのフォーカスエラー情報であることを特徴とするものである。
【０００８】
また、前記解析用情報は、前記再生障害が発生した時に、前記再生装置から出力される機構的なエラー情報であることを特徴とするものである。
【０００９】
また、前記解析用情報は、前記再生障害が発生した時に、前記再生装置から出力される高温時にレーザダイオードの出力を中断する高温ストップ情報であることを特徴とするものである。
【００１０】
また、前記解析用情報は、前記再生装置に懸かる振動、温度、供給電源電圧等の情報等であることを特徴とするものである。
【００１１】
また、前記解析用情報は、前記車両の走行位置情報等であることを特徴とするものである。
【００１２】
また、前記解析用情報は、前記車両の走行状態情報であることを特徴とするものである。
【００１３】
また、前記障害情報記憶手段に記憶された解析用情報を外部機器に出力する情報出力手段を備えたことを特徴とするものである。
【００１４】
【発明の実施の形態】
図１は本発明の一実施の形態に係る再生装置の構成を示すブロック図である。以下、図に従って説明する。
【００１５】
１はＣＤディスクやＭＤディスクに記憶された音楽情報を再生する再生装置である。１１はＣＤディスクの記憶情報を再生するＣＤデッキで、ディスクから記憶情報を読み取る光ピックアップ、読み取った再生信号からフォーカスサーボ信号、トラッキングサーボ信号等を生成し、正常な読み取りができるように光ピックアップのフォーカスおよび位置を制御するサーボ回路、再生信号から音声信号を生成し音声出力部１５に出力するＤ／Ａ変換回路等を有する。１２はＭＤディスクの記憶情報を再生するＭＤデッキで、ＣＤデッキ１１と同様の機能を備えている。１３は入力指示に基づいてＣＤデッキ１１やＭＤデッキ１２の再生を制御するマイクロコンピュータからなる制御部で、再生のために必要なＲＯＭ、ＲＡＭおよび再生障害の状況を記憶するための不揮発性メモリを有する。１４は再生中のディスクのトラック番号、再生時間等の再生情報を表示する液晶表示パネル及び駆動回路等で構成された表示部である。１５は光ピックアップにより読み出された再生信号を増幅して出力する音声出力部である。１６はユーザが再生指示を行うための操作スイッチ等からなる入力部である。１７はナビゲーション装置２から車両の走行情報や振動センサ３から振動情報を取得するための外部通信インターフェースである。
【００１６】
２は人工衛星（ＧＰＳ衛星）からの電波を受信して、その信号から位置情報・方位情報等を算出して車両の走行案内を行うナビゲーション装置であり、本実施の形態では音飛び等の再生障害が発生したときに車両の走行情報を取得する。
【００１７】
尚、再生装置１にはＣＤデッキ１１やＭＤデッキ１２に懸かる振動を検出する振動センサ３からの加速度信号、再生装置１の周辺温度を検出する温度計の出力信号、再生装置１に供給するバッテリー＋Ｂの電圧信号、車両の動作状態を示すアクセサリースイッチ（ＡＣＣ）信号、表示部（液晶表示）１４やランプ系統の表示状態を示すイルミネーションスイッチ（ＩＬＬ）信号等の環境情報も入力される。
【００１８】
図２は本発明の一実施の形態に係る再生装置の再生障害情報の記憶処理のフローチャートで、（ａ）は再生装置１側の処理、（ｂ）はナビゲーション装置２側の処理である。図３は再生障害情報の記憶状態図で、（ａ）は再生障害発生時のみの情報を記憶した記憶状態図、（ｂ）は再生障害発生時と直前の連続した情報を記憶した記憶状態図である。図４は本発明の一実施の形態に係る再生装置の再生障害情報の読出処理のフローチャートである。以下、図に従って説明する。尚、本実施の形態では、再生する記憶媒体をＣＤディスクを例に説明する。
【００１９】
先ず、再生装置１側の制御部１３の処理について述べる。この処理はユーザによる再生指示操作、つまり、ユーザによりＣＤディスク４１が装置内に挿入され、入力部１６により再生のためのトラック指定、再生モード（繰り返し再生、ランダム再生等）、再生開始指示等がなされれば実行される。
【００２０】
ステップＳ１１では、再生を行ってステップＳ１２に移る。つまり、指示されたＣＤディスク４１の指定トラック位置に光ピックアップを移動させ、記憶された音楽情報を読み出し、Ｄ／Ａ変換、音声信号に変換した後、音声出力部１５から出力する。
【００２１】
ステップＳ１２では、再生が完了したか否かを判断して再生が完了すれば処理を終え、再生が完了しなければステップＳ１３に移る。つまり、ユーザにより指示された操作内容によりＣＤディスク４１の再生が完了したか否かを判断する。
【００２２】
ステップＳ１３では、１秒が経過したか否かを判断して１秒が経過すればステップＳ１４に移り、１秒が経過しなければステップＳ１１に戻って再生を継続する。この処理は１秒毎に再生時のディスク情報、デッキ情報、動作環境情報を収集するためのもので、ＣＤデッキ１１から１秒毎に出力される再生情報（再生トラックの開始からの時間信号）に同期して行うものである。
【００２３】
ステップＳ１４では、ディスク情報を記憶してステップＳ１５に移る。つまり、再生ディスクの種別（ＣＤ、ＣＤ−Ｒ、ＭＤ等の別）、再生トラック番号、再生トラックの開始からの時間を制御部１３内のＲＡＭ等のメモリに一時記憶する。これらは再生障害がディスク側の傷等に起因するか否かを判断するのに役立つ情報である。尚、メモリへの記憶は所定時間（例えば、５秒間つまり、最新の情報を含めて６回分）の情報を残して上書き保存し、再生障害の解析には必要がないと思われる古い情報は破棄するようにしてもよい。
【００２４】
ステップＳ１５では、デッキ情報を記憶してステップＳ１６に移る。つまり、ＣＤデッキ１１からデッキ情報（フォーカスエラー信号、機構エラー信号、レーザダイオードを保護する高温ストップ信号等）を１秒毎に制御部１３内のＲＡＭ等のメモリに一時記憶する。これらは再生障害時にどのようなエラーが発生していたかを判断するのに役立つ情報である。尚、メモリへの記憶は所定時間の情報を残して上書き保存し、再生障害には関係のないと思われる古い情報は破棄するようにしてもよい。
【００２５】
ステップＳ１６では、動作環境情報を記憶してステップＳ１７に移る。つまり、ＣＤディスク４１の再生中の環境、例えば再生装置１の周囲温度、再生装置１に懸かる加速度（振動センサ３の出力）、バッテリー電圧、車両の動作状態を示すＡＣＣスイッチの状態、表示部１４のランプの状態を示すＩＬＬスイッチの状態等を１秒毎に制御部１３内のＲＡＭ等のメモリに一時記憶する。尚、記憶は最新の５秒間の情報を残し、古い情報は破棄するようにしてもよい。
【００２６】
ステップＳ１７では、再生障害が発生したか否かを判断して再生障害が発生すればステップＳ１８に移り、再生障害が発生しなればステップＳ１１に戻って再生を継続するとともに、１秒毎にディスク情報、デッキ情報、動作環境情報の記憶を継続する。ディスクの傷や光ピックアップのフォーカスエラー等に起因する音飛び等の再生障害が発生すると、ＣＤディスク４１から読み出されたタイムスタンプ（アドレス）に連続性がなくなったり、所定時間後（１秒後）に次の再生信号が正常に出力されなくなる。また、高温時にレーザダイオードを動作させると致命的な損傷が発生するので、これを防止するためにレーザダイオードの発振を停止させる場合がある。この時は高温ストップ信号が出力される。また、光ピックアップを移動させる機構部に異常が生じた場合にも異常信号が出力される。これらを基に再生障害の有無を判断する。
【００２７】
ステップＳ１８では、ナビゲーション装置に走行情報の送信を要求してステップＳ１９に移る。つまり、再生障害と車両位置、道路状態、車両の走行速度等の関連を考慮して、ナビゲーション装置２に車両の現在位置（緯度・経度）、走行速度、時刻等の情報の送信を要求する。
【００２８】
ステップＳ１９では、ナビゲーション装置２から走行情報を受信してステップＳ２０に移る。つまり、ナビゲーション装置２から送信された車両の現在位置（緯度・経度）、走行速度、時刻情報を取得する。位置情報は位置に対応する道路の状態（悪路等の判断）を推測するのに有効である。
【００２９】
ステップＳ２０では、不揮発性メモリにディスク情報、デッキ情報、動作環境情報、走行情報を記憶して処理を終える。つまり、ステップＳ１７の再生障害が発生したことをトリガーにしてディスク情報、デッキ情報、動作環境情報、走行情報を再生装置１が停止しても記憶が消滅しないように、制御部１３の内部の不揮発性メモリ（ＥＥＰＲＯＭや常時電源供給されたＲＡＭ）に記憶する。これらの情報は図３（ａ）に示すように、再生障害が発生した時刻（年月日、時分秒）に対応して、ディスク情報、デッキ情報、動作環境情報、走行情報が記憶される。また、時間的に大きく変動する要因については、図３（ｂ）に示すように、再生障害が発生した時刻とその直前の所定時間（本例では、振動、フォーカス状態、機構状態３項目、５秒間であるが不揮発性メモリに容量があれば、項目を増やしたり、もっと長くしてもよい）の情報を記憶することにより再生障害の解析に一層有効となる。
【００３０】
次に、ナビゲーション装置２側の処理について述べる。尚、本処理はナビゲーション装置が稼働状態になった時点から開始する。ステップＳ２１では、再生装置１から車両の走行情報の送信要求を受信してステップＳ２２に移る。ステップＳ２２では、時刻、車両の位置、走行速度等を検出してステップＳ２３に移る。つまり、ＧＰＳ衛星から受信した絶対時刻情報、衛星の位置情報に基づいて車両の位置（経度、緯度または対応する道路の名称、位置）情報を算出する。また、車速センサから走行速度情報を取得する。ステップＳ２３では、走行情報を再生装置に送信して処理を終える。つまり、検出した絶対時刻情報、走行位置情報、走行速度情報を再生装置１に送信する。
【００３１】
このようにして不揮発性メモリに記憶した情報を再生障害の発生した再生装置を回収して情報を読み出すが、その際における制御部（マイコン）１３の行う処理を図４のフローチャートに従って説明する。尚、この処理は他の処理とともに繰り返し行われる。
【００３２】
ステップＳ３１では、記憶された情報の出力を行うか否かをユーザによる情報出力操作があったか否かで判断し、行うならばステップＳ３２に移り、行わないならば処理を終える。ステップＳ３２では、記憶された再生障害情報を読み出し、外部通信インターフェース１７を介して出力して処理を終える。つまり、回収した再生装置１の外部通信インターフェース１７に読出用の端末機を接続し、図３にように記憶された再生障害情報を読み出して（情報出力操作を行い、情報出力要求信号を外部通信インターフェース１７に出力する）端末機の表示部に表示したり、プリンタを使用して印刷する。尚、外部通信インターフェース１７の代わりに再生装置１側にデータ読出専用の端子を設けてもよい。
【００３３】
記憶（再生障害）情報を読み出すことにより、
▲１▼ディスクの傷等、記憶媒体（ディスク）自体に問題がある。
【００３４】
▲２▼光ピックアップのフォーカスエラー、トラッキングエラー、ディスクや光ピックアップの送り機構等、デッキ自体に問題がある。
【００３５】
▲３▼高温、振動（衝撃）等、再生装置の動作環境に問題がある。
【００３６】
▲４▼悪路走行（振動）等、車両の走行環境に問題があるのかを概略判断するのに有効な資料となる。
【００３７】
また、回収した再生装置１を使用して、再生障害の再現実験を行う場合には、これらの情報を参考にして再生障害が発生した状態に近い環境状態を再現するようにすれば再生障害の発生（再現）する確率が高くなり、障害対策が行い易くなる。
【００３８】
以上のように本実施の形態では、ディスクの再生中に再生障害が発生した都度、再生障害の内容とディスク情報、デッキ情報、環境情報、車両の走行情報が不揮発性メモリに記憶される。この記憶情報を基に再生障害との因果関係を調べると共に、この記憶情報を基に再現実験を行えば、再生障害の再現頻度が高くなり、原因解析に有効な情報となる。
【００３９】
尚、本実施の形態では、ＣＤディスク４１を再生する場合の情報収集について述べたが、ＭＤディスク４２を再生する場合も同様に再生障害が発生したときの各情報を収集し、記憶することも可能である。
【００４０】
【発明の効果】
以上説明したように、本発明では、再生中に障害が発生した時に再生障害の発生原因を解析するために必要な情報が収集できる再生装置が提供できる。
【図面の簡単な説明】
【図１】本発明の一実施の形態に係る再生装置の構成を示すブロック図である。
【図２】本発明の一実施の形態に係る再生装置の再生障害情報の記憶処理のフローチャートである。
【図３】再生障害情報の記憶状態図である。
【図４】本発明の一実施の形態に係る再生装置の再生障害情報の読出処理のフローチャートである。
【符号の説明】
１・・・・再生装置、　　　　　　　１６・・・入力部、
１１・・・ＣＤデッキ、　　　　　　１７・・・外部通信インターフェース、
１２・・・ＭＤデッキ、　　　　　　２・・・・ナビゲーション装置、
１３・・・制御部、　　　　　　　　３・・・・振動センサ、
１４・・・表示部、　　　　　　　　４１・・・ＣＤディスク、
１５・・・音声出力部、　　　　　　４２・・・ＭＤディスク。
【図１】
2004014015.tif 000003
【図２】
2004014015.tif 000004
【図３】
2004014015.tif 000005
【図４】
2004014015.tif 000006